(57)【要約】【課題】  側突時において座席を介して加わる衝撃によりボックス本体が潰れることを抑制することができるコンソールボックスを提供する。【解決手段】  コンソールボックス１１を構成するボックス本体１２は、運転席及び助手席の間に設けられている。ボックス本体１２内の下端部には、車両幅方向に延びる四角板状の補強部材３１が架設されている。補強部材３１は、車両幅方向に延びる側断面正六角形状をなす複数の中空部３２が内部全体にわたって形成されている。各中空部３２は、互いに所定の間隔をおいて離間するとともにハニカム状に配置されている。補強部材３１は、車両幅方向の両端部がボックス本体１２の各サイドパネル１３の下端部に接しているうえ、該下端部に溶着されている。【選択図】      図３
2005335523.tif 000002
【特許請求の範囲】
【請求項１】
車両幅方向に並設された一対の座席間に設けられるボックス本体を備え、
前記ボックス本体を構成する側壁のうち、車両前後方向に延びる一対の側壁の間には、補強部材が車両幅方向に延びるように架設されていることを特徴とするコンソールボックス。
【請求項２】
前記補強部材は車両幅方向に延びる複数の中空部を有している請求項１に記載のコンソールボックス。
【請求項３】
前記補強部材が複数設けられている請求項１又は請求項２に記載のコンソールボックス。
【発明の詳細な説明】
【技術分野】
【０００１】
本発明は、自動車等の車両において、例えば運転席及び助手席の間に配設されるコンソールボックスに関するものである。
【背景技術】
【０００２】
従来、この種のコンソールボックスとしては、小物等を収納するための収納体等を内部に有するボックス本体を備えたものが知られている（例えば、特許文献１及び特許文献２参照。）。ボックス本体は運転席及び助手席の間に配設され、金属板をコ字板状に屈曲形成してなるコンソールブラケットを介してフロアトンネル上に固定されている。
【特許文献１】特開平１０−２０３２８４号公報
【特許文献２】特開平１０−１６６３０号公報
【発明の開示】
【発明が解決しようとする課題】
【０００３】
ところで、近年の車両には、例えばＩＩＨＳ（Insurance Institute for Highway Safety）による評価に示されるように、側面衝突（以下、側突という。）時における乗員の高い保護性能が求められている。このため、車両は、運転席や助手席に補強部材を取付ける等により、側突時の変形量を小さくして乗員の保護性能を高めている。さらに、車両は、側突時にエアバッグ等によって乗員を適正に拘束することにより、乗員の保護性能をより高めている。
【０００４】
しかし、従来構成のボックス本体は、その剛性の向上への寄与を考慮していない収納体等を有しているのみであり、剛性が低く側突時には車両幅方向からの衝撃により容易に潰れるという問題があった。このため、ボックス本体は、例えば車体の車両幅方向における剛性の向上に何ら寄与していない。従って、側突時には、その衝撃により側突された側の座席がボックス本体を潰して車両中央側へ歪むために、車室が容易に変形する。さらに、前記座席の歪みに伴って該座席に着座する乗員が移動するために、乗員の適正な拘束が困難になる。このため、ボックス本体は、乗員の保護性能の向上に何ら寄与していない。また、ボックス本体は、側突時には容易に潰れるために、内部にＡ／Ｂセンサ（エアバッグセンサ）等が配設されているときにはそれらを側突時に保護し得ない。
【０００５】
本発明は、このような従来技術に存在する問題点に着目してなされたものである。その目的とするところは、側突時において座席を介して加わる衝撃によりボックス本体が潰れることを抑制することができるコンソールボックスを提供することにある。
【課題を解決するための手段】
【０００６】
上記の目的を達成するために、請求項１に記載の発明は、車両幅方向に並設された一対の座席間に設けられるボックス本体を備え、前記ボックス本体を構成する側壁のうち、車両前後方向に延びる一対の側壁の間には、補強部材が車両幅方向に延びるように架設されていることを要旨とする。
【０００７】
従って、側突時の衝撃によりボックス本体に車両幅方向から荷重が加わったときには、該荷重を補強部材により受け止めることができる。その結果、ボックス本体は車両幅方向の剛性が高められ、同方向からの荷重により潰れるのを抑制することができる。このため、ボックス本体は、例えば側突時に潰れることなく形状を維持することにより、車体の車両幅方向の剛性を高める。さらにボックス本体は、側突時に形状を維持することによって側突された側の座席の車両中央側への歪みを抑制し、該座席に着座する乗員の移動を容易に規制する。また、ボックス本体は、その内部にＡ／Ｂセンサ等が配設されているときには、側突時に形状を維持することにより、Ａ／Ｂセンサ等を保護する。
【０００８】
請求項２に記載の発明は、請求項１に記載の発明において、前記補強部材は車両幅方向に延びる複数の中空部を有していることを要旨とする。
従って、補強部材は、ボックス本体の車両幅方向における剛性の低下を抑制しつつ、軽量化を図ることができる。
【０００９】
請求項３に記載の発明は、請求項１又は請求項２に記載の発明において、前記補強部材が複数設けられていることを要旨とする。
従って、ボックス本体は、補強部材が複数設けられることにより車両幅方向の剛性がより高められる。
【発明の効果】
【００１０】
本発明によれば、側突時において座席を介して加わる衝撃によりボックス本体が潰れることを抑制することができるコンソールボックスを提供することができる。
【発明を実施するための最良の形態】
【００１１】
以下、本発明を具体化した一実施形態について説明する。尚、以下の説明において、車両の進行方向（前進方向）を前方（車両前方）とする。さらに、車両幅方向は車両の左右方向（側方）を示し、車両中央側は車両幅方向における車両の中央側を示す。加えて、上下左右は図２（ａ）における上下左右を基準にする。
【００１２】
図１に示すように、コンソールボックス１１は、車両幅方向に並設された一対の座席である運転席２１及び助手席２２の間に、長手方向が車両前後方向に延びるように配設されている。コンソールボックス１１の前端部は、車室内の前端部中央に配設される図示しないセンタパネルに接続されている。コンソールボックス１１の後端部にはボックス本体１２が設けられている。このボックス本体１２は、運転席２１及び助手席２２の間に設けられているうえ、車両前後方向に延びる断面逆Ｕ字状をなすフロアトンネル２３上に設けられている。フロアトンネル２３は、その上面が運転席２１及び助手席２２の着座部２４の上面よりも下方に位置している。フロアトンネル２３の外側面上には、車室内の意匠性を高めるカーペット２５が敷設されている。
【００１３】
図２（ａ）及び図３に示すように、ボックス本体１２は合成樹脂により有蓋四角箱状に形成されている。ボックス本体１２は、その左右両側部に車両前後方向に延びる一対の側壁である一対のサイドパネル１３が設けられ、後端部に車両幅方向に延びるリアパネル１４が設けられている。さらにボックス本体１２は、その内部（中央部）に収納物を収納するための有底長四角箱状をなす収納体１５が設けられている。収納体１５の上端部には、その各側壁１５ａに対して直交するように外方へ延びる四角環状の鍔部１５ｂが形成されている。この鍔部１５ｂは、各サイドパネル１３及び各リアパネル１４の上端部に取付けられている。収納体１５の車両前後方向に延びる各側壁１５ａ及び各サイドパネル１３の間には、間隙１６がそれぞれ形成されている。ボックス本体１２の上部には、長四角板状をなし収納体１５の上面開口を開閉可能に閉塞する蓋体１７が設けられている。蓋体１７は、その後端部を中心にして上下方向に回動可能に軸着されている。
【００１４】
収納体１５の下面、即ちボックス本体１２内の下端部には補強部材３１が設けられている。この補強部材３１は車両幅方向に延びる四角板状をなし、収納体１５と一体形成されている。さらに補強部材３１は、一対のサイドパネル１３間に架設されている。即ち、補強部材３１は、その車両幅方向の両端部が各サイドパネル１３の下端部に接しているうえ、該下端部にそれぞれ溶着されている。
【００１５】
図２（ａ）及び図４に示すように、補強部材３１はハニカム構造体として構成されている。即ち、補強部材３１は、車両幅方向に延びる側断面正六角形状をなす複数の中空部３２が内部全体にわたって形成されている。各中空部３２は、互いに平行をなすようにそれぞれ形成されている。さらに各中空部３２は、互いに所定の間隔をおいて離間するとともにハニカム状に配置されている。各中空部３２の車両幅方向の両端は、補強部材３１の車両幅方向の両端部にそれぞれ開口している。各中空部３２の間隔は３ｍｍや４ｍｍ等である。
【００１６】
図２（ｂ）に示すように、補強部材３１の所定箇所には、上下方向に延びる有底円筒状をなす固定筒３３が形成されている。固定筒３３は、その上端が収納体１５の内底面に開口している。さらに固定筒３３は、その底壁の中央部に第１固定孔３３ａが形成されている。一方、フロアトンネル２３には、前記第１固定孔３３ａに対応する箇所に第２固定孔２３ａが形成されている。ボックス本体１２は、フロアトンネル２３上に配設された後に上方から各固定孔３３ａ，２３ａに挿通されたビス１８により、フロアトンネル２３に固定されている。
【００１７】
図２（ａ）及び図３に示すように、ボックス本体１２内の左右両側部には、一対のダクト４１が設けられている。各ダクト４１は車両前後方向に延びる四角筒状をなし、前端部が図示しない空調装置に接続されている。各ダクト４１の後端部は、収納体１５及びサイドパネル１３の間に配設されている。さらに各ダクト４１の後端部は、左右両内側面が収納体１５の車両前後方向に延びる各側壁１５ａ及び各サイドパネル１３により構成され、内上面が収納体１５の鍔部１５ｂにより構成されるとともに内底面が補強部材３１により構成されている。このため、ダクト４１の後端部の内部は、前記間隙１６により構成されている。各ダクト４１の後端上部は、空気流出孔であるＲＦレジスタ（リアフェイスレジスタ）となっている。各ＲＦレジスタ４２はリアパネル１４に開口し、空調装置からダクト４１の内部を車両前方から後方へ流通した空調空気が車室内の後端部に流出させるようになっている。
【００１８】
次に、以上のように構成された本実施形態の作用について説明する。
さて、車両が例えば運転席２１側から側突されたときには、その衝撃により運転席２１がボックス本体１２及びフロアトンネル２３を助手席２２側へ押圧する。このとき、ボックス本体１２には運転席２１側（車両幅方向）から前記押圧に起因する荷重が加わる。そして、ボックス本体１２は、その内部に補強部材３１が架設されていることから、該補強部材３１によって前記荷重を容易に受け止めることができ、側突の衝撃により潰れるのが抑制される。
【００１９】
このため、ボックス本体１２は、例えば側突時に形状を容易に維持して車体の車両幅方向における剛性の向上に寄与する。さらにボックス本体１２は、側突時に形状を維持して運転席２１の歪みを防止することにより、運転手の移動を容易に規制する。加えて、ボックス本体１２は、側突時に形状を維持して収納体１５等を保護する。
【００２０】
前記の実施形態によって発揮される効果について、以下に記載する。
・  実施形態のボックス本体１２は補強部材３１を備えている。この補強部材３１は、車両幅方向に延びるように架設されていることから、車両幅方向からの荷重を容易に受け止めることができる。このため、ボックス本体１２は車両幅方向の剛性が高められ、側突時において座席を介して加わる衝撃により潰れるのが抑制される。
【００２１】
・  補強部材３１には、車両幅方向に延びる複数の中空部３２が形成されている。このため、補強部材３１は、車両幅方向からの荷重を容易に受け止めることできるうえ、重量を軽減することができる。よって、ボックス本体１２の車両幅方向における剛性の低下を抑制しつつ、軽量化を図ることができる。
【００２２】
・  補強部材３１はハニカム構造体として構成されている。このため、補強部材３１は、その一部に車両幅方向から荷重が加わったときには、該荷重を車両幅方向に対して放射状に分散させながら受け止めることができる。その結果、補強部材３１は、その一部に集中的に荷重が加わるのを防止することができ、内部に複数の中空部３２が不規則に設けられている場合に比べて大きな荷重を受け止めることができる。このため、ボックス本体１２は車両幅方向の剛性がより高められ、側突時に潰れるのがより確実に抑制される。
【００２３】
・  各ダクト４１の後端部の内部は間隙１６により構成されている。このため、ボックス本体１２は、その内部の空間を有効に利用することができる。
なお、本実施形態は、次のように変更して具体化することも可能である。
【００２４】
・  前記ボックス本体１２を、例えば２列シートの車両において車両幅方向に並設された一対の後部座席間に設けてもよいし、３列シート等の車両において車両幅方向に並設された一対の中間部座席間に設けてもよい。
【００２５】
・  前記フロアトンネル２３の上面が着座部２４の上面よりも上方に位置していてもよい。このように構成した場合には、車両が例えば運転席側から側突されたときには、その衝撃により運転席２１がフロアトンネル２３を助手席２２側へ押圧するとともに運転手がボックス本体１２を助手席２２側へ押圧する。このとき、ボックス本体１２は、形状を維持して運転手の移動を規制することができる。
【００２６】
・  前記補強部材３１と収納体１５とをそれぞれ別体に形成してもよい。さらに、図５に示すように、補強部材３１を、車両幅方向に延びるハニカム六角筒３５の集合体により構成してもよい。具体的には、補強部材３１は、車両前後方向に延びる長四角板状をなす一対の端面板３６と、それら端面板３６に挟持されるハニカム六角筒３５の集合体とから構成されている。各ハニカム六角筒３５は、隣接するハニカム六角筒３５の外側面同士が接することにより集合体を構成してもよいし、隣接するハニカム六角筒３５が一体に形成されることにより集合体を構成してもよい。各ハニカム六角筒３５は、端面板３６と一体に形成されている。各ハニカム六角筒３５は、内部に車両幅方向に延びる中空部３２が形成されている。中空部３２の車両幅方向の両端は、端面板３６に開口している。
【００２７】
・  前記補強部材３１を、収納体１５の前方又は後方に設けてもよい。
・  前記補強部材３１を複数設けてもよい。このように構成した場合には、補強部材３１の数の増加に伴いボックス本体１２の車両幅方向の剛性をより一層高めることができる。
【００２８】
・  前記補強部材３１を金属材料等により形成してもよい。また、補強部材３１を、車両幅方向に延びる柱状又は筒状に形成してもよい。
・  前記補強部材３１の車両幅方向の両端部とサイドパネル１３との溶着を省略してもよい。
【００２９】
・  図６に示すように、補強部材３１を格子構造体として構成してもよい。即ち、各中空部３２を、側断面長方形状をなすとともに格子状に配置してもよい。また、各中空部３２を、側断面円形状や側断面三角形状等に形成してもよい。
【００３０】
・  前記中空部３２を省略し、補強部材３１を矩形状等としてもよい。また、中空部３２を、補強部材３１の前端部のみや車両幅方向の一端部のみ等のように、補強部材３１の内部の一部にのみ設けてもよい。
【００３１】
・  前記中空部３２の一部を、補強部材３１を形成する合成樹脂により閉塞してもよい。また、前記中空部３２に、補強部材３１を形成する合成樹脂と異なる材料からなる充填材、例えば発泡樹脂からなる充填材を充填してもよい。このように構成した場合には、中空部３２の閉塞や充填材の充填により補強部材３１の車両幅方向の強度を高めることができる。このため、補強部材３１は、中空部３２に充填材が充填されていないとき等に比べて大きな荷重を受け止めることができ、ボックス本体１２の車両幅方向の剛性をより高めることができる。
【００３２】
・  図６に示すように、前記収納体１５の下部に車両幅方向に延びる四角板状の収納体補強部材５１を設けてもよい。この収納体補強部材５１は、車両幅方向の両端面が収納体１５の左右両側面を通る平面上に位置している。収納体補強部材５１の内部には、車両幅方向に延びる複数の中空部５２が設けられている。各中空部５２は側断面長方形状をなし、車両前後方向に延びる列状に設けられている。各中空部５２は、側断面正六角形状等に形成されてもよいし、格子状又はハニカム状に配設されてもよい。収納体補強部材５１は、図６に示すように収納体１５及び補強部材３１と一体に形成されてもよいし、別体として形成されてもよい。このように構成した場合には、収納体１５の車両幅方向の剛性が高まるために、ボックス本体１２の車両幅方向の剛性をより高めることができる。
【００３３】
・  前記ボックス本体１２にＡ／Ｂセンサ等を設けてもよい。
さらに、前記実施形態より把握できる技術的思想について以下に記載する。
・  前記補強部材がハニカム構造体として構成されている請求項１から請求項３のいずれか一項に記載のコンソールボックス。この構成によれば、側突時において座席を介して加わる衝撃によりボックス本体が潰れることをより確実に抑制することができる。
【００３４】
・  前記中空部に充填材が充填されている請求項２又は請求項３に記載のコンソールボックス。この構成によれば、側突時において座席を介して加わる衝撃によりボックス本体が潰れることをより確実に抑制することができる。
【００３５】
・  前記ボックス本体は、補強部材の上部に設けられ有底四角箱状をなす収納体と、収納体の上面開口を開閉可能に閉塞する蓋体と、内部を車両前方から後方に向かって空調空気が流通するダクトと、ダクトの後端に位置し空調空気を車室内へと流出させる空気流出孔とを備え、前記収納体の車両前後方向に延びる一対の側壁と、ボックス本体の車両前後方向に延びる一対の側壁と、補強部材との間には間隙が形成され、前記ダクトの内部は前記間隙により構成されている請求項１から請求項３のいずれか一項に記載のコンソールボックス。この構成によれば、ボックス本体内の空間を有効に利用することができる。
【図面の簡単な説明】
【００３６】
【図１】実施形態のボックス本体を示す斜視図。
【図２】（ａ）及び（ｂ）はボックス本体を示す要部断面図。
【図３】ボックス本体を示す要部断面図。
【図４】収納体及び補強部材を示す斜視図。
【図５】補強部材の別例を示す斜視図。
【図６】収納体及び補強部材の別例を示す斜視図。
【符号の説明】
【００３７】
１１…コンソールボックス、１２…ボックス本体、１３…車両前後方向に延びる一対の側壁としてのサイドパネル、２１…座席としての運転席、２２…座席としての助手席、３１…補強部材、３２…中空部。
【図１】
2005335523.tif 000003
【図２】
2005335523.tif 000004
【図３】
2005335523.tif 000005
【図４】
2005335523.tif 000006
【図５】
2005335523.tif 000007
【図６】
2005335523.tif 000008